(57)【要約】【課題】露出及び／又は焦点調整を手動で行う際の露出調整用の補助画像及び／又は焦点調整用の補助画像が表示される場合の操作時において、注視すべき補助画像を判り易くする。【解決手段】撮像装置１は、システム制御部２０９の制御の下、マニュアル露出（ＭＥ）モード設定時には露出調整を支援する露出調整用の補助画像を撮像画像に重畳して表示部２１６に表示する。また、撮像装置１は、システム制御部２０９の制御の下、マニュアルフォーカス（ＭＦ）モード設定時にはフォーカス調整を支援するフォーカス調整用の補助画像を撮像画像に重畳して表示部２１６に表示する。また、システム制御部２０９は、アイリスダイヤル２１４ｃの操作入力に応じて露出調整用の補助画像の表示色を変更するように制御し、且つ、フォーカスリング２１４ｂの操作入力に応じてフォーカス調整用の補助画像の表示色を変更するように制御する。【選択図】図１
2009272837.tif 000002
【特許請求の範囲】
【請求項１】
撮像光学系により結像された被写体像を光電変換して撮像画像を取得する撮像手段と、
前記撮像手段により取得された撮像画像を表示する表示手段と、
前記撮像光学系の絞り値を操作するための露出操作手段と、
前記撮像光学系の焦点位置を操作するためのフォーカス操作手段と、
前記露出操作手段による操作入力を受け付けるマニュアル露出モード及び／又は前記フォーカス操作手段による操作入力を受け付けるマニュアルフォーカスモードを設定する動作モード設定手段と、
前記マニュアル露出モード設定時には露出調整を支援する第１補助画像を前記撮像画像に重畳して表示するように制御し、且つ、前記マニュアルフォーカスモード設定時にはフォーカス調整を支援する第２補助画像を前記撮像画像に重畳して表示するように制御する表示制御手段と、
を備え、
前記表示制御手段は、前記マニュアル露出モード設定時における前記露出操作手段の操作入力に応じて前記第１補助画像の表示色及び／又は表示方法を変更するように制御し、且つ、前記マニュアルフォーカスモード設定時における前記フォーカス操作手段の操作入力に応じて前記第２補助画像の表示色及び／又は表示方法を変更するように制御することを特徴とする撮像装置。
【請求項２】
前記露出調整を支援する第１補助画像として、前記撮像画像の輝度レンジと連動した輝度領域を斜め線でパターン化したゼブラパターンを生成する第１画像処理手段を更に備えることを特徴とする請求項１に記載の撮像装置。
【請求項３】
前記フォーカス調整を支援する第２補助画像として、前記撮像画像から輪郭信号を抽出して該撮像画像における合焦領域を示す輪郭抽出画像を生成する第２画像処理手段を更に備えることを特徴とする請求項１又は２に記載の撮像装置。
【請求項４】
前記表示制御手段は、さらに、前記マニュアル露出モード設定時における前記露出操作手段の操作入力、又は、前記マニュアルフォーカスモード設定時における前記フォーカス操作手段の操作入力に応じて、前記撮像画像の表示色及び／又は表示方法を変更するように制御することを特徴とする請求項１〜３のいずれか一項に記載の撮像装置。
【請求項５】
撮像光学系により結像された被写体像を光電変換して撮像画像を取得する撮像手段と、前記撮像手段により取得された撮像画像を表示する表示手段と、前記撮像手段における撮像光学系の絞り量を操作する露出操作手段と、前記撮像手段における撮像光学系の焦点位置を操作するフォーカス操作手段と、前記露出操作手段による操作入力を受け付けるマニュアル露出モード及び／又は前記フォーカス操作手段による操作入力を受け付けるマニュアルフォーカスモードを設定する動作モード設定手段と、を備える撮像装置の制御方法であって、
前記マニュアル露出モード設定時には露出調整を支援する第１補助画像を前記撮像画像に重畳して表示するように制御し、且つ、前記マニュアルフォーカスモード設定時にはフォーカス調整を支援する第２補助画像を前記撮像画像に重畳して表示するように制御するとともに、前記マニュアル露出モード設定時における前記露出操作手段の操作入力に応じて前記第１補助画像の表示色及び／又は表示方法を変更するように制御し、且つ、前記マニュアルフォーカスモード設定時における前記フォーカス操作手段の操作入力に応じて前記第２補助画像の表示色及び／又は表示方法を変更するように制御する表示制御工程を有することを特徴とする制御方法。
【発明の詳細な説明】
【技術分野】
【０００１】
本発明は、撮像装置及びその制御方法に関する。
【背景技術】
【０００２】
従来から、デジタルビデオカメラなどの撮像装置においては、自動露出調整（AE:Auto  Exposure）やオートフォーカス（AF:Auto  Focus）などの機能を有するものがある。この撮像装置における露出調整や焦点調整については、撮像装置が自動で行う動作モード又はユーザが自ら調整を行う動作モードを切り替えることで、自動露出調整又は手動露出調整、オートフォーカス又はマニュアルフォーカスの切り替えが可能となっている。
【０００３】
上記撮像装置では、電子ビューファインダ（ＥＶＦ）や液晶表示パネルなどの撮像画像を表示する表示部を有しており、手動露出調整やマニュアルフォーカスの場合は、表示部の撮像画像をユーザが目視確認しながら調整が行われている。しかし、撮像装置の表示部は、サイズも小型な物が多く、表示解像度の点からも厳密な露出調整や焦点調整に適したものではない。
【０００４】
そこで、撮像装置では、手動露出調整を行う場合において、露出調整を支援する露出調整用の補助画像を表示部の撮像画像に重畳して表示し、ユーザの操作補助を行うものがある。この補助画像としては、予め設定した輝度閾値を示す画像や、撮像画像の輝度レンジと連動して生成されるゼブラパターン信号と称される斜め線のパターン画像（以下、「ゼブラパターン」という）などがある。同様に、手動焦点調整を行う場合では、輪郭補正、ピーキング、エンハンサなどと称される（以下、「ピーキング」という）、撮像画像から輪郭信号を抽出して生成した焦点調整を支援する焦点調整用の補助画像を撮像画像に重畳して表示するものがある。
【０００５】
撮像装置において、上述したゼブラパターンやピーキングなどの表示については、その視認性を高めることでユーザが露出調整や焦点調整を行う際の操作性を向上できるため、特許文献１、２に示すような技術が開発されている。特許文献１には、マニュアルフォーカス時に、エッジ検出を行い、エッジ部分に検出レベルに応じて異なる色又は異なる色レベルでエッジ表示を行う撮像装置が開示されている。また、特許文献２には、輝度レベルに応じた基準ゼブラパターンを表示しつつ、撮像画像にゼブラパターンを重ねて表示すること、また、撮像画像に含まれる色情報からゼブラパターンの表示色を制御することが開示されている。
【特許文献１】特開２００７−６０３２８号公報
【特許文献２】特開２００３−１９８８９１号公報
【発明の開示】
【発明が解決しようとする課題】
【０００６】
しかしながら、上記従来技術では、露出調整及び／又は焦点調整を手動で行う動作モードであり、露出調整用の補助画像及び／又は焦点調整用の補助画像が表示される場合において、操作時に注視すべき補助画像が判りにくいという問題があった。例えば、被写体に注視してしまい、操作時に注視すべき補助画像を見落とす場合があった。また、露出調整用の補助画像及び焦点調整用の補助画像が表示されている際に露出調整の操作を行う場合は、露出調整用の補助画像を参考にして操作すればよいが、焦点調整用の補助画像と見間違う虞があった。
【０００７】
本発明は、露出及び／又は焦点調整を手動で行う際の露出調整用の補助画像及び／又は焦点調整用の補助画像が表示される場合の操作時において、注視すべき補助画像を判り易くする撮像装置、その制御方法及びプログラムを提供することを目的とする。
【課題を解決するための手段】
【０００８】
上記目的は、撮像光学系により結像された被写体像を光電変換して撮像画像を取得する撮像手段と、前記撮像手段により取得された撮像画像を表示する表示手段と、前記撮像光学系の絞り値を操作するための露出操作手段と、前記撮像光学系の焦点位置を操作するためのフォーカス操作手段と、前記露出操作手段による操作入力を受け付けるマニュアル露出モード及び／又は前記フォーカス操作手段による操作入力を受け付けるマニュアルフォーカスモードを設定する動作モード設定手段と、前記マニュアル露出モード設定時には露出調整を支援する第１補助画像を前記撮像画像に重畳して表示するように制御し、且つ、前記マニュアルフォーカスモード設定時にはフォーカス調整を支援する第２補助画像を前記撮像画像に重畳して表示するように制御する表示制御手段と、を備え、前記表示制御手段は、前記マニュアル露出モード設定時における前記露出操作手段の操作入力に応じて前記第１補助画像の表示色及び／又は表示方法を変更するように制御し、且つ、前記マニュアルフォーカスモード設定時における前記フォーカス操作手段の操作入力に応じて前記第２補助画像の表示色及び／又は表示方法を変更するように制御することを特徴とする本発明による撮像装置によって達成される。
【０００９】
また、上記目的は、撮像光学系により結像された被写体像を光電変換して撮像画像を取得する撮像手段と、前記撮像手段により取得された撮像画像を表示する表示手段と、前記撮像手段における撮像光学系の絞り量を操作する露出操作手段と、前記撮像手段における撮像光学系の焦点位置を操作するフォーカス操作手段と、前記露出操作手段による操作入力を受け付けるマニュアル露出モード及び／又は前記フォーカス操作手段による操作入力を受け付けるマニュアルフォーカスモードを設定する動作モード設定手段と、を備える撮像装置の制御方法であって、前記マニュアル露出モード設定時には露出調整を支援する第１補助画像を前記撮像画像に重畳して表示するように制御し、且つ、前記マニュアルフォーカスモード設定時にはフォーカス調整を支援する第２補助画像を前記撮像画像に重畳して表示するように制御するとともに、前記マニュアル露出モード設定時における前記露出操作手段の操作入力に応じて前記第１補助画像の表示色及び／又は表示方法を変更するように制御し、且つ、前記マニュアルフォーカスモード設定時における前記フォーカス操作手段の操作入力に応じて前記第２補助画像の表示色及び／又は表示方法を変更するように制御する表示制御工程を有することを特徴とする本発明による制御方法によっても達成される。
【発明の効果】
【００１０】
本発明によれば、露出及び／又は焦点調整を手動で行う際の露出調整用の補助画像及び／又は焦点調整用の補助画像が表示される場合の操作時において、注視すべき補助画像を判り易くすることができる。
【発明を実施するための最良の形態】
【００１１】
以下、この発明の実施の形態について図を参照して説明するが、この発明は以下の実施の形態に限定されない。また、この発明の実施の形態は発明の最も好ましい形態を示すものであり、発明の範囲を限定するものではない。
【００１２】
先ず、本実施の形態に係る撮像装置の構成について図１を参照して詳細に説明する。ここで、図１は、撮像装置１の構成を模式的に示すブロック図である。撮像装置１は、被写体像を光電変換して静止画像データ／動画像データなどの撮像画像データを取得するデジタルカメラ又はデジタルビデオカメラなどである。
【００１３】
撮像装置１は、撮像系の構成として、撮像光学系２０１、撮像素子２０２、撮像素子駆動部２０３、ＣＤＳ／ＡＧＣ２０４、ＣＤＳ／ＡＧＣ２０４、Ａ／Ｄ２０５、カメラ信号処理部２０６、撮像光学系駆動部２０７、ストロボ２０８を備える。また、撮像装置１は、各部を中央制御する表示制御手段としてのシステム制御部２０９を備える。システム制御部２０９は、ＣＰＵ（Central  Processing  Unit）などであり、汎用記憶部２１１などから読み出したプログラムコードとＣＰＵとの協働により各部を統括制御する。また、撮像装置１は、システム制御部２０９の制御の下で動作する周辺構成として、メモリ制御部２１０、記録媒体接続インターフェース２１２、入力操作部２１４、計時部２１５、表示部２１６、ライン出力部２１７、デジタルデータ出力部２１８などを備える。
【００１４】
先ず、撮像系の構成について説明する。撮像光学系２０１は、被写体像を撮像素子２０２へ結像させるための光学レンズ群や絞りなどである。撮像光学系２０１の光学レンズ群は、後述する撮像光学系駆動部２０７によりそのレンズ位置が移動可能となっており、撮像光学系駆動部２０７の駆動量に応じて画角（ズーム）や焦点（フォーカス）などが調整可能である。また、撮像光学系２０１の絞りは、撮像光学系駆動部２０７により駆動する複数の絞り羽根により、その絞り羽根により形成される菱形絞りの開口量が調整可能である。
【００１５】
撮像素子２０２は、ＣＣＤやＣＭＯＳイメージセンサなどであり、撮像光学系２０１により撮像面に結像される被写体像を光電変換した画像データを出力する。ここで、ＣＣＤとは、Charge  Coupled  Deviceの略語である。また、ＣＭＯＳとは、Complementary  Metal  Oxide  Semiconductorの略語である。なお、撮像素子２０２は、静止画撮影機能のために電子シャッター機能を備えてもよい。撮像素子駆動部２０３は、カメラ信号処理部２０６から出力される駆動信号に基づいた駆動タイミングに従って撮像素子２０２を駆動する。
【００１６】
ＣＤＳ／ＡＧＣ２０４は、相関二重サンプリング処理を行って撮像信号からノイズ成分を除去し、そのノイズ成分を除去した信号を所定の信号レベルに増幅する。ここで、ＣＤＳとは、correlated  double  samplingの略語である。また、ＡＧＣとは、Auto  Gain  Controlの略語である。Ａ／Ｄ２０５（Analog  to  Digital）は、前段から入力されたアナログ信号をデジタル信号に変換する。
【００１７】
カメラ信号処理部２０６は、システム制御部２０９の制御の下、撮像素子２０２を駆動させるための駆動信号の生成、撮像画像データに基づいたＡＥ制御又はＡＦ制御、撮像画像のγ調整など、撮像系全体の制御を行う。また、カメラ信号処理部２０６は、撮像画像データにおける被写体像の高域周波数成分から、その被写体像の鮮鋭度等の焦点評価値を算出し、ＡＦ制御と合わせて焦点評価値が極大となる焦点位置を検出することで、被写体までの距離も算出可能である。
【００１８】
具体的には、カメラ信号処理部２０６は、上記制御処理や各種画像処理を行うＤＳＰ（Digital  Signal  Processor）などである。また、カメラ信号処理部２０６は、画像処理用のビデオメモリや、画像データを符号化／復号化するためのＭＰＧＥコーデック、ＪＰＥＧコーデックなどを備えてもよい。ここで、ＭＰＥＧとは、Moving Picture Experts Groupの略語である。また、ＪＰＥＧとは、Joint Photographic Experts Groupの略語である。
【００１９】
また、カメラ信号処理部２０６は、システム制御部２０９の制御の下、露出調整を支援する補助画像（第１補助画像）や焦点調整を支援する補助画像（第２補助画像）を撮像画像に重畳する画像処理を行う。具体的には、カメラ信号処理部２０６は、第１補助画像として、撮像画像の輝度レンジと連動して所定の輝度領域を斜め線でパターン化したゼブラパターンを生成し、撮像画像に重畳する。すなわち、カメラ信号処理部２０６は第１画像処理手段である。なお、ゼブラパターンを生成する際の所定の輝度領域とは、白とびを起こしている高輝度領域、黒とびを起こしている低輝度領域、顔検出で検出された顔領域などの注目領域と同一輝度の領域、などであってよい。
【００２０】
また、カメラ信号処理部２０６は、第２補助画像として、撮像画像から輪郭信号を抽出してその撮像画像における合焦領域を示す輪郭抽出画像（ピーキング）を生成し、撮像画像に重畳する。すなわち、カメラ信号処理部２０６は第２画像処理手段である。なお、カメラ信号処理部２０６が撮像画像に重畳する第１補助画像、第２補助画像は、上記ゼブラパターンやピーキングに限定しない。例えば、第１補助画像は、予め設定した輝度閾値と撮像画像の輝度値との差などを示す照度計などであってもよい。また、第２補助画像は、上記算出された被写体までの距離を示す距離計や、撮像画像の全画像領域の中で焦点評価値が極大である合焦領域に合焦したことを示すマーク画像などであってもよい。また、撮像画像から輪郭抽出を行う対象となる画像は、カメラ信号処理部２０６の画像処理により識別された顔画像などであってよく、特に限定しない。
【００２１】
撮像光学系駆動部２０７は、カメラ信号処理部２０６によるＡＦ／ＡＥ制御に基づいた制御信号や、システム制御部２０９からの制御信号により、撮像光学系２０１の光学レンズ群におけるレンズ位置や絞りによる光量を調整するアクチュエータである。ＡＦ時には、カメラ信号処理部２０６で焦点評価値を検出し、その検出した情報に基づいて撮像光学系駆動部２０７が駆動される。ＡＥ時には、カメラ信号処理部２０６で撮像画像の輝度値を検出し、その検出した情報に基づいて撮像光学系駆動部２０７が駆動される。
【００２２】
また、撮像光学系駆動部２０７は、後述するマニュアルフォーカスモード設定時やマニュアル露出モード設定時において、ユーザからの操作入力に応じて撮像光学系２０１の光学レンズ群におけるレンズ位置や絞りによる光量を調整する。マニュアルフォーカス（ＭＦ）時には、フォーカスリング２１４ｂをユーザが調整し、電子的な機構ではそのフォーカスリング２１４ｂの回転方向と回転量をシステム制御部２０９が検出し、その検出情報に基づいて撮像光学系駆動部２０７が駆動される。なお、機械的な機構では、フォーカスリング２１４ｂが機械的に撮像光学系２０１と繋がっており、そのフォーカスリング２１４ｂをユーザが回すことで機械的に撮像光学系２０１のレンズ位置が調整されて焦点調整が行われる。また、マニュアル露出（ＭＥ）調整時には、アイリスダイヤル２１４ｃをユーザが調整し、そのアイリスダイヤル２１４ｃの回転方向と回転量をシステム制御部２０９が検出する。そして、システム制御部２０９は、その検出情報に基づいて撮像光学系駆動部２０７を駆動させることで絞りの露出調節を行う。なお、ＭＥとは、Manual Exposureの略語である。
【００２３】
ストロボ２０８は、カメラ信号処理部２０６のＡＥ制御の下、必要に応じて発光することで、被写体光量を補う。ストロボ２０８の発光に関しては、入力操作部２１４により入力されるユーザ操作に基づいて、強制発光、発行禁止、測光結果に従ったオート発光などが選択可能であってよい。
【００２４】
次に、システム制御部２０９の周辺構成について説明する。メモリ制御部２１０は、システム制御部２０９の制御の下、ＲＯＭ（Read  Only  Memory）やＲＡＭ（Random  Access  Memory）などである汎用記憶部２１１のデータ読み出し又はデータ書き込みを制御する。汎用記憶部２１１は、システム制御部２０９が実行するプログラムコードや各種設定情報などを記憶する。汎用記憶部２１１が記憶する設定情報には、画面に表示する際の表示色や表示方法などの表示設定に関する情報も含まれる。例えば、ピーキング表示やゼブラ表示を表示する際の表示色／表示方法が種々の条件で異なる場合、汎用記憶部２１１には、その条件毎の表示色／表示方法に関する設定情報が記憶されている。また、汎用記憶部２１１は、システム制御部２０９がプログラムコードを実行する際の作業領域を提供する。記録媒体接続インターフェース２１２は、システム制御部２０９の制御の下、半導体メモリカードや光磁気記録媒体などである記録媒体２１３のデータ読み出し又はデータ書き込みを行うインターフェースである。
【００２５】
入力操作部２１４は、動作モード設定ボタン２１４ａ、フォーカスリング２１４ｂ、アイリスダイヤル２１４ｃなどであり、ユーザからの操作指示に応じた操作信号をシステム制御部２０９に出力する。また入力操作部２１４には、特に図示しないシャッターボタン、ズームスイッチ、各種操作キー、タッチパネルなども含まれる。動作モード設定手段としての動作モード設定ボタン２１４ａは、撮像装置１の動作モードを設定するボタンである。動作モード設定ボタン２１４ａで設定する動作モードとしては、ＡＦモード、ＡＥモード、ＭＦモード、ＭＥモードがある。ＡＦモードは、自動で焦点調整を行う動作モードである。ＡＥモードは、自動で露出調整を行う動作モードである。ＭＦモード（マニュアルフォーカスモード）は、フォーカス操作を受け付けて手動で焦点調整を行う動作モードである。ＭＥモード（マニュアル露出モード）は、露出操作を受け付けて手動で露出調整を行う動作モードである。フォーカス操作手段としてのフォーカスリング２１４ｂは、リングの回転方向や回転位置に応じて撮像光学系２０１の焦点位置を操作する。露出操作手段としてのアイリスダイヤル２１４ｃは、ダイヤルの回転方向や回転位置に応じて撮像光学系２０１の絞り量を操作する。
【００２６】
計時部２１５は、ＲＴＣ（Real  Time  Clock）とバックアップ用電池を備え、システム制御部２０９からの要求に応じてＲＴＣでカウントした日時情報を出力する。表示部２１６は、ＥＶＦや液晶表示パネルなどであり、システム制御部２０９からの表示制御信号に基づいて撮像素子２０２での撮像画像などを表示する。具体的には、表示部２１６は、撮像素子２０２での撮像画像をリアルタイムに表示し、静止画／動画撮影をアシストする。また、表示部２１６は、ＭＦモード、ＭＥモード時において、露出補正や焦点調整を補助する補助画像を撮像画像に重畳した表示を行い、ユーザによる露出補正や焦点調整をアシストする。
【００２７】
ライン出力部２１７は、アナログコンポーネント映像の出力や、Ｓ端子入出力、コンポジット映像入出力などのインターフェース群である。ライン出力部２１７は、接続する外部ＴＶモニタ等への映像出力や、外部映像機器から出力される画像データの入力などを行う。デジタルデータ出力部２１８は、印刷装置２１９などの外部機器と所定の通信規格の通信ケーブル２２０を介して接続することで、撮像装置１と印刷装置２１９とを互いに通信可能に接続する。具体的には、デジタルデータ出力部２１８は、ＵＳＢやＩＥＥＥ１３９４Ｉ／Ｆ、ＨＤＭＩなどである。なお、ＵＳＢは、Universal  Serial  Busの略語である。また、ＩＥＥＥ１３９４は、Institute  of  Electrical  and  Electronic  Engineers  1394の略語である。また、ＨＤＭＩは、High  Definition  Multimedia  Interfaceの略語である。
【００２８】
ジャイロセンサ２２１は、撮像装置１の加速度を検出し、その検出信号をシステム制御部２０９へ出力するセンサである。システム制御部２０９では、ジャイロセンサ２２１により検出された撮像装置１の加速度に基づいて、手ぶれ補正などに必要な撮像画像の補正量を算出し、カメラ信号処理部２０６へ出力する。カメラ信号処理部２０６では、システム制御部２０９から出力された補正量に基づいて撮像画像をシフトさせる画像処理を行うなどして、手ぶれ補正を実現させる。
【００２９】
ここで、静止画／動画撮影時において、表示部２１６の表示画面に表示される映像を図２を参照して詳細に説明する。ここで、図２（ａ）は、静止画／動画撮影時における表示画面１０１の通常の表示例を例示する概念図である。図２（ｂ）は、表示画面１０１におけるゼブラパターン表示を例示する概念図である。図２（ｃ）は、表示画面１０１におけるピーキング表示を例示する概念図である。図２（ｄ）は、表示画面１０１におけるゼブラパターン及びピーキング表示を例示する概念図である。
【００３０】
図２（ａ）に示すように、静止画／動画撮影時における表示部２１６の表示画面１０１には、撮像素子２０２で撮像した撮像画像が表示される。具体的には、表示画面１０１には、撮像対象である人物などの被写体１０２が表示される。図示例では、被写体１０２は人物の上半身である。
【００３１】
また、図２（ｂ）に示すように、手動で露出調整を行うＭＥモード時においては、上述した被写体１０２を撮像した撮像画像にゼブラパターン１０３、１０４が重畳して表示される。ゼブラパターン１０３、１０４は撮像画像の全画像領域において所定の輝度レベルである画像領域に重畳して表示される。図示例では、ゼブラパターン１０３は、顔検出により識別された人物の顔の部分と同一の輝度領域を示す画像であり、撮像画像の人物の顔に重畳して表示されている。また、ゼブラパターン１０４は、背景で設定閾値よりも明るい画像領域（例えば白とび領域など）に重畳して表示されている。
【００３２】
また、図２（ｃ）に示すように、手動で焦点調整を行うＭＦモード時においては、上述した被写体１０２を撮像した撮像画像にピーキング１０５が重畳して表示される。ピーキング１０５は、顔検出により識別された人物の顔画像を対象にその輪郭部分を検出し、その検出された輪郭線を強調して人物の顔に合焦されたことを示すピーキング情報である。また、図２（ｄ）に示すように、ＭＥモード、且つ、ＭＦモードである場合は、被写体１０２にゼブラパターン１０３、１０６と、ピーキング１０５とが同時に表示される。
【００３３】
次に、図３〜図５を参照して、システム制御部２０９が各部を制御して行う撮像装置１の動作を詳細に説明する。ここで、図３、図４は、撮像装置１の動作を詳細に説明するフローチャートである。図５は、撮像装置１の表示状態を表で例示した概念図である。
【００３４】
図３に示すように、撮像装置１において処理が開始されると、システム制御部２０９は、動作モード設定ボタン２１４ａによりＲＡＭなどに設定された動作モードを取得する（Ｓ１）。このＳ１で取得する動作モードは、前述した「ＡＦモード」／「ＭＦモード」、「ＡＥモード」／「ＭＥモード」である。従って、Ｓ１で取得する動作モードの組み合わせは、「ＡＦ、ＡＥ」、「ＭＦ、ＡＥ」、「ＡＦ、ＭＥ」、「ＭＦ、ＭＥ」の４種類である。
【００３５】
次いで、システム制御部２０９は、取得した動作モードが上記４種類のいずれであるかを判定する（Ｓ２）。このＳ２において、「ＡＦ、ＡＥ」であると判定した場合、システム制御部２０９は、ピーキング表示及びゼブラパターン表示を画面表示させないようにＯＦＦに設定する（Ｓ３）。また、「ＭＦ、ＡＥ」であると判定した場合、システム制御部２０９は、ピーキング表示のみを画面表示するようにピーキング表示をＯＮに設定する（Ｓ４）。また、「ＡＦ、ＭＥ」であると判定した場合、システム制御部２０９は、ゼブラパターン表示のみを画面表示するようにゼブラパターン表示をＯＮに設定する（Ｓ５）。また、「ＭＦ、ＭＥ」であると判定した場合、システム制御部２０９は、ピーキング表示及びゼブラパターン表示を画面表示するように、両方の表示をＯＮに設定する。
【００３６】
次いで、システム制御部２０９は、ＭＦモードに設定されているか否かを判定し（Ｓ７）、ＭＦモードに設定されている場合（ＹＥＳ）は、フォーカスリング２１４ｂによるＭＦ操作の有無を判定する（Ｓ８）。このＳ８において、ＭＦ操作があると判定した場合、システム制御部２０９は、汎用記憶部２１１に記憶された設定情報に基づいてＭＦ操作中のピーキング表示色を設定し（Ｓ９）、被写体映像を白黒表示に設定する（Ｓ１０）。また、Ｓ８において、ＭＦ操作がないと判定した場合、システム制御部２０９は、汎用記憶部２１１に記憶された設定情報に基づいてＭＦ操作停止中のピーキング表示色を設定する（Ｓ１１）。
【００３７】
次いで、システム制御部２０９は、図４に示すように、ＭＥモードに設定されているか否かを判定し（Ｓ１２）、ＭＥモードに設定されている場合（ＹＥＳ）は、アイリスダイヤル２１４ｃによる露出操作（ＭＥ操作）の有無を判定する（Ｓ１３）。このＳ１３において、露出操作があると判定した場合、システム制御部２０９は、汎用記憶部２１１に記憶された設定情報に基づいて露出操作中のゼブラパターン表示色を設定し（Ｓ１４）、被写体映像を白黒表示に設定する（Ｓ１５）。また、Ｓ１３において、露出操作がないと判定した場合、システム制御部２０９は、汎用記憶部２１１に記憶された設定情報に基づいて露出操作停止中のゼブラパターン表示色を設定する（Ｓ１６）。
【００３８】
次いで、システム制御部２０９は、上述した処理による設定に基づいたゼブラパターン、ピーキング、被写体映像を表示部２１６に表示させる（Ｓ１７）。具体的には、カメラ信号処理部２０６における画像処理を制御する制御信号をシステム制御部２０９がカメラ信号処理部２０６へ出力し、撮像画像及びその撮像画像に重畳する画像の画像処理を制御して表示部２１６における表示制御を実現する。上述した表示制御により、ＭＦ時でピーキング表示をする場合は、そのピーキング表示の表示色がＭＦの操作入力に応じた表示色となる。また、ＭＥ時でゼブラパターン表示をする場合は、そのゼブラパターン表示の表示色がＭＥの操作入力に応じた表示色となる。従って、撮像装置１では、ＭＦ及び／又はＭＥ時であり、ピーキング表示及び／又はゼブラパターン表示が行われる場合であっても、ＭＦ又はＭＥの操作時に注視すべき補助画像を判別しやすく表示することができる。特に、ＭＦ及びＭＥ時であり、ピーキング表示及びゼブラパターン表示が同時に表示される場合においては、ＭＦ操作時に注視すべきピーキング表示又はＭＥ操作時に注視すべきゼブラパターン表示を見間違うことがない。
【００３９】
また、Ｓ１７における被写体映像の表示色は、特に白黒表示が設定されていない場合、カラーで表示される。すなわち、撮像装置１では、ＭＦ操作入力やＭＥ操作入力に応じて被写体映像が白黒表示されることとなる。従って、撮像装置１では、ＭＦ操作入力時やＭＥ操作入力時において、被写体映像が目立ちにくい白黒映像となるため、注視すべきピーキング表示及びゼブラパターン表示を際だたせて表示することができる。
【００４０】
ここで、上述した処理による表示部２１６の表示状態について、各動作モードとその動作モード時の操作状態での場合分けを例示して説明する。図５に示すように、表示部２１６におけるゼブラパターン表示及びピーキング表示については、表示状態Ｈ１〜Ｈ９の表示状態がある。
【００４１】
表示状態Ｈ１は、ＡＦモード且つＡＥモードであり、ピーキング表示ＯＦＦ且つゼブラパターン表示ＯＦＦの場合である。この表示状態Ｈ１は、ゼブラパターンが非表示、ピーキングが非表示、被写体映像がカラー表示となる。この表示状態Ｈ１は、ＭＥモードへの切り替えが行われてゼブラパターン表示がＯＮとなると、表示状態Ｈ２へ遷移する。逆に、表示状態Ｈ２は、ＡＥモードへの切り替えが行われてゼブラパターン表示がＯＦＦになると、表示状態Ｈ１へ戻る。また、表示状態Ｈ１は、ＭＦモードへの切り替えが行われてピーキング表示がＯＮとなると、表示状態Ｈ４へ遷移する。逆に、表示状態Ｈ４は、ＡＦモードへの切り替えが行われてピーキング表示がＯＦＦになると、表示状態Ｈ１へ戻る。
【００４２】
表示状態Ｈ２は、ＡＦモード且つＭＦモードであり、ピーキング表示ＯＦＦ且つゼブラパターン表示ＯＮの場合であって、アイリスダイヤル２１４ｃの操作が行われていない露出操作停止中の場合である。この表示状態Ｈ２は、ゼブラパターンが黒色表示、ピーキングが非表示、被写体映像がカラー表示となる。すなわち、表示状態Ｈ２では、被写体映像をカラーで確認しつつ、輝度状態も黒色のゼブラパターンで確認可能となっている。この表示状態Ｈ２は、アイリスダイヤル２１４ｃの操作入力により表示状態Ｈ３へ遷移する。この表示状態Ｈ３への遷移は、ユーザに判りやすくさせるため、アイリスダイヤル２１４ｃの操作入力を検出して瞬時に切り替わることが望ましい。逆に、表示状態Ｈ３は、アイリスダイヤル２１４ｃの操作入力が終了した場合に表示状態Ｈ２へ戻る。この表示状態Ｈ２へ戻る場合は、アイリスダイヤル２１４ｃの操作入力が終了した後、任意の時間経過後に戻るようにしてもよい。なお、上述した表示状態の遷移に要する時間は、別途、ユーザが入力操作部２１４などで設定できるようにしてもよい。また、表示状態Ｈ２は、ＭＦモードへの切り替えが行われてピーキング表示がＯＮとなると、表示状態Ｈ５へ遷移する。逆に、表示状態Ｈ５は、ＡＦモードへの切り替えが行われてピーキング表示がＯＦＦになると、表示状態Ｈ２へ戻る。
【００４３】
表示状態Ｈ３は、ＡＦモード且つＭＦモードであり、ピーキング表示ＯＦＦ且つゼブラパターン表示ＯＮの場合であって、アイリスダイヤル２１４ｃによる露出操作中の場合である。この表示状態Ｈ３は、ゼブラパターンが青色表示、ピーキングが非表示、被写体映像が白黒表示となる。すなわち、表示状態Ｈ３では、露出操作停止中と比較してゼブラパターンが黒色から青色に変化しており、露出操作中に注視すべきゼブラパターンが判り易く表示される。また、表示状態Ｈ３では、露出操作中に被写体映像が白黒表示となるため、ゼブラパターンがより際立つこととなる。この表示状態Ｈ３は、ＭＦモードへの切り替えが行われてピーキング表示がＯＮとなると、表示状態Ｈ６へ遷移する。逆に、表示状態Ｈ６は、ＡＦモードへの切り替えが行われてピーキング表示がＯＦＦになると、表示状態Ｈ３へ戻る。
【００４４】
表示状態Ｈ４は、ＭＦモード且つＡＥモードであり、ピーキング表示ＯＮ且つゼブラパターン表示ＯＮの場合であって、フォーカスリング２１４ｂの操作が行われていないＭＦ操作停止中の場合である。この表示状態Ｈ４は、ゼブラパターンが非表示、ピーキングが白色表示、被写体映像がカラー表示となる。すなわち、表示状態Ｈ４では、被写体映像をカラーで確認しつつ、焦点調整のための白色のピーキングも確認可能となっている。この表示状態Ｈ４は、フォーカスリング２１４ｂの操作入力により表示状態Ｈ７へ遷移する。この表示状態Ｈ７への遷移は、ユーザに判りやすくするため、フォーカスリング２１４ｂの操作入力を検出して瞬時に切り替わることが望ましい。逆に、表示状態Ｈ７は、フォーカスリング２１４ｂの操作入力が終了した場合に表示状態Ｈ４へ戻る。この表示状態Ｈ４へ戻る場合は、フォーカスリング２１４ｂの操作入力が終了した後、任意の時間経過後に戻るようにしてもよい。なお、上述した表示状態の遷移に要する時間は、別途、ユーザが入力操作部２１４などで設定できるようにしてもよい。また、表示状態Ｈ４は、ＭＥモードへの切り替えが行われてゼブラパターン表示がＯＮとなると、表示状態Ｈ５へ遷移する。逆に表示状態Ｈ５は、ＡＥモードへの切り替えが行われてゼブラパターン表示がＯＦＦになると、表示状態Ｈ４へ戻る。
【００４５】
表示状態Ｈ５は、ＭＦモード且つＭＥモードであり、ピーキング表示ＯＮ且つゼブラパターン表示ＯＮの場合であって、フォーカスリング２１４ｂ、アイリスダイヤル２１４ｃの操作が行われていない場合である。この表示状態Ｈ５は、ゼブラパターンが黒色表示、ピーキングが白色表示、被写体映像がカラー表示となる。すなわち、表示状態Ｈ５では、被写体映像をカラーで確認しつつ、輝度状態を黒色のゼブラパターンで、焦点調整のピーキングを白色で確認可能となっている。この表示状態Ｈ５は、アイリスダイヤル２１４ｃの操作入力により表示状態Ｈ６へ遷移する。逆に、表示状態Ｈ６は、アイリスダイヤル２１４ｃの操作入力が終了した場合に表示状態Ｈ５へ戻る。また、表示状態Ｈ５は、フォーカスリング２１４ｂの操作入力により表示状態Ｈ８へ遷移する。逆に、表示状態Ｈ８は、フォーカスリング２１４ｂの操作入力が終了した場合に表示状態Ｈ５へ戻る。この表示状態Ｈ６、Ｈ８への遷移は、ユーザに判りやすくするため、アイリスダイヤル２１４ｃ、フォーカスリング２１４ｂの操作入力を検出して瞬時に切り替わることが望ましい。逆に、表示状態Ｈ６、Ｈ８から表示状態Ｈ５へ戻る場合は、アイリスダイヤル２１４ｃ、フォーカスリング２１４ｂの操作入力が終了した後、任意の時間経過後に戻るようにしてもよい。なお、上述した表示状態の遷移に要する時間は、別途、ユーザが入力操作部２１４などで設定できるようにしてもよい。
【００４６】
表示状態Ｈ６は、ＭＦモード且つＭＥモードであり、ピーキング表示ＯＮ且つゼブラパターン表示ＯＮの場合であって、アイリスダイヤル２１４ｃによる露出操作中の場合である。この表示状態Ｈ６は、ゼブラパターンが青色表示、ピーキングが白色表示、被写体映像がカラー表示となる。すなわち、表示状態Ｈ６では、ピーキングも表示されているが、露出操作停止中と比較してゼブラパターンが黒色から青色に変化しているため、露出操作中に注視すべきゼブラパターンが判り易く表示される。また、表示状態Ｈ６では、露出操作中に被写体映像が白黒表示となるため、ゼブラパターンがより際立つこととなる。この表示状態Ｈ６は、フォーカスリング２１４ｂの操作入力により表示状態Ｈ９へ遷移する。この表示状態Ｈ９への遷移は、ユーザに判りやすくするため、フォーカスリング２１４ｂの操作入力を検出して瞬時に切り替わることが望ましい。逆に、表示状態Ｈ９は、フォーカスリング２１４ｂの操作入力が終了した場合に表示状態Ｈ６へ戻る。この表示状態Ｈ６へ戻る場合は、フォーカスリング２１４ｂの操作入力が終了した後、任意の時間経過後に戻るようにしてもよい。なお、上述した表示状態の遷移に要する時間は、別途、ユーザが入力操作部２１４などで設定できるようにしてもよい。
【００４７】
表示状態Ｈ７は、ＭＦモード且つＡＥモードであり、ピーキング表示ＯＮ且つゼブラパターン表示ＯＮの場合であって、フォーカスリング２１４ｂによるＭＦ操作中の場合である。この表示状態Ｈ７は、ゼブラパターンが非表示、ピーキングが赤色表示、被写体映像が白黒表示となる。すなわち、表示状態Ｈ７では、ＭＦ操作停止中と比較してピーキングが白色から赤色に変化しており、ＭＦ操作中に注視すべきピーキングが判り易く表示される。また、表示状態Ｈ７では、ＭＦ操作中に被写体映像が白黒表示となるため、ピーキングがより際立つこととなる。また、表示状態Ｈ７は、ＭＥモードへの切り替えが行われてゼブラパターン表示がＯＮとなると、表示状態Ｈ８へ遷移する。逆に表示状態Ｈ８は、ＡＥモードへの切り替えが行われてゼブラパターン表示がＯＦＦになると、表示状態Ｈ７へ戻る。
【００４８】
表示状態Ｈ８は、ＭＦモード且つＭＥモードであり、ピーキング表示ＯＮ且つゼブラパターン表示ＯＮの場合であって、フォーカスリング２１４ｂによるＭＦ操作中の場合である。この表示状態Ｈ８は、ゼブラパターンが黒色表示、ピーキングが赤色表示、被写体映像が白黒表示となる。すなわち、表示状態Ｈ８では、ゼブラパターンも表示されているが、ＭＦ操作停止中と比較してピーキングが白色から赤色に変化しており、ＭＦ操作中に注視すべきピーキングが判り易く表示される。また、表示状態Ｈ８では、ＭＦ操作中に被写体映像が白黒表示となるため、ピーキングがより際立つこととなる。この表示状態Ｈ８は、アイリスダイヤル２１４ｃの操作入力により表示状態Ｈ９へ遷移する。この表示状態Ｈ９への遷移は、ユーザに判りやすくさせるため、アイリスダイヤル２１４ｃの操作入力を検出して瞬時に切り替わることが望ましい。逆に、表示状態Ｈ９は、アイリスダイヤル２１４ｃの操作入力が終了した場合に表示状態Ｈ８へ戻る。この表示状態Ｈ８へ戻る場合は、アイリスダイヤル２１４ｃの操作入力が終了した後、任意の時間経過後に戻るようにしてもよい。なお、上述した表示状態の遷移に要する時間は、別途、ユーザが入力操作部２１４などで設定できるようにしてもよい。
【００４９】
表示状態Ｈ９は、ＭＦモード且つＭＥモードであり、ピーキング表示ＯＮ且つゼブラパターン表示ＯＮの場合であって、フォーカスリング２１４ｂ、アイリスダイヤル２１４ｃの操作が行われている場合である。この表示状態Ｈ９は、ゼブラパターンが青色表示、ピーキングが赤色表示、被写体映像が白黒表示となる。なお、フォーカスリング２１４ｂ、アイリスダイヤル２１４ｃの操作が同時に行われている場合は、ゼブラパターンの青色を水色に、ピーキングの赤色を桃色などに変更した表示状態とし、ＭＦと露出の両方を操作中であることをユーザに通知してもよい。
【００５０】
以上のように、撮像装置１は、システム制御部２０９の制御の下、マニュアル露出モード設定時には露出調整を支援する第１補助画像であるゼブラパターンを撮像画像に重畳して表示部２１６に表示する。また、撮像装置１は、システム制御部２０９の制御の下、マニュアルフォーカスモード設定時にはフォーカス調整を支援する第２補助画像であるピーキングを撮像画像に重畳して表示部２１６に表示する。また、システム制御部２０９は、マニュアル露出モード設定時におけるアイリスダイヤル２１４ｃの操作入力に応じてゼブラパターンの表示色を変更するように制御する。且つ、システム制御部２０９は、マニュアルフォーカスモード設定時におけるフォーカスリング２１４ｂの操作入力に応じてピーキングの表示色を変更するように制御する。従って、撮像装置１は、露出及び／又は焦点調整を手動で行う際の、露出調整用の補助画像及び／又は焦点調整用の補助画像が表示される場合の操作時において、注視すべき補助画像を判り易くすることができる。
【００５１】
具体的には、撮像装置１は、ＭＦモード時にフォーカスリング２１４ｂが操作された場合には、ピーキングの表示色を変更することで、ＭＦ操作時のユーザが注視すべきピーキングを判別しやすく表示できる。また、撮像装置１は、ＭＥモード時にアイリスダイヤル２１４ｃが操作された場合には、ゼブラパターンの表示色を変更することで、露出操作時のユーザが注視すべきゼブラパターンを判別しやすく表示できる。特に、ＭＦモード及びＭＥモードが同時に選択され、ピーキングとゼブラパターンとが同時に表示されている場合において、操作時に注視すべき補助画像が判別しやすくなるため、操作性の大幅な向上が期待できる。
【００５２】
なお、上述した実施形態における記述は、一例を示すものであり、これに限定するものではない。上述した実施の形態における構成及び動作に関しては、適宜変更が可能である。
【００５３】
例えば、上述した実施形態では、ゼブラパターン、ピーキング、被写体映像の表示色の制御を例示したが、表示方法の制御であってもよい。ここでいう表示方法とは、点滅表示の有無、網掛け表示の有無、拡大／縮小表示など、ユーザが識別可能な表示方法であればいずれであってよい。より好適には、注視すべきゼブラパターン又はピーキングが際立つように表示方法が制御されることが望ましい。なお、上述した表示方法の制御は、表示色の制御と同時に行うものであってもよい。すなわち、システム制御部２０９は、フォーカスリング２１４ｂ、アイリスダイヤル２１４ｃの操作入力に応じて、ゼブラパターン、ピーキング、被写体映像の表示色及び／又は表示方法の制御を行ってもよい。
【００５４】
また、上述した実施形態では、ゼブラパターンの表示色を黒色又は青色、ピーキングの表示色を白色又は赤色としたが、上記表示色に特に限定するものではない。より好適には、操作停止中のゼブラパターン又はピーキングと比較して、操作中のゼブラパターン又はピーキングがより際立つような表示色の設定が望ましい。具体的には、注視すべき操作中のゼブラパターン又はピーキングの表示色の方が操作停止中のゼブラパターン又はピーキングの表示色よりも彩度や輝度が高く設定されることが望ましい。同様に、被写体映像の表示色についても、カラー表示から白黒表示へ変更する以外に、セピア調などに変更してもよい。より好適には、注視すべき操作中のゼブラパターン又はピーキングの方が被写体映像よりも際立つような表示色の設定が望ましい。具体的には、被写体映像の表示色の方が注視すべき操作中のゼブラパターン又はピーキングの表示色よりも彩度や輝度が低く設定されることが望ましい。
【００５５】
（他の実施形態）
上述の実施形態は、システム或は装置のコンピュータ（或いはＣＰＵ、ＭＰＵ等）によりソフトウェア的に実現することも可能である。従って、上述の実施形態をコンピュータで実現するために、該コンピュータに供給されるコンピュータプログラム自体も本発明を実現するものである。つまり、上述の実施形態の機能を実現するためのコンピュータプログラム自体も本発明の一つである。
【００５６】
なお、上述の実施形態を実現するためのコンピュータプログラムは、コンピュータで読み取り可能であれば、どのような形態であってもよい。例えば、オブジェクトコード、インタプリタにより実行されるプログラム、ＯＳに供給するスクリプトデータ等で構成することができるが、これらに限るものではない。上述の実施形態を実現するためのコンピュータプログラムは、記憶媒体又は有線／無線通信によりコンピュータに供給される。プログラムを供給するための記憶媒体としては、例えば、フレキシブルディスク、ハードディスク、磁気テープ等の磁気記憶媒体、ＭＯ、ＣＤ、ＤＶＤ等の光／光磁気記憶媒体、不揮発性の半導体メモリなどがある。
【００５７】
有線／無線通信を用いたコンピュータプログラムの供給方法としては、コンピュータネットワーク上のサーバを利用する方法がある。この場合、本発明を形成するコンピュータプログラムとなりうるデータファイル（プログラムファイル）をサーバに記憶しておく。プログラムファイルとしては、実行形式のものであっても、ソースコードであっても良い。そして、このサーバにアクセスしたクライアントコンピュータに、プログラムファイルをダウンロードすることによって供給する。この場合、プログラムファイルを複数のセグメントファイルに分割し、セグメントファイルを異なるサーバに分散して配置することも可能である。つまり、上述の実施形態を実現するためのプログラムファイルをクライアントコンピュータに提供するサーバ装置も本発明の一つである。
【００５８】
また、上述の実施形態を実現するためのコンピュータプログラムを暗号化して格納した記憶媒体を配布し、所定の条件を満たしたユーザに、暗号化を解く鍵情報を供給し、ユーザの有するコンピュータへのインストールを許可してもよい。鍵情報は、例えばインターネットを介してホームページからダウンロードさせることによって供給することができる。また、上述の実施形態を実現するためのコンピュータプログラムは、すでにコンピュータ上で稼働するＯＳの機能を利用するものであってもよい。さらに、上述の実施形態を実現するためのコンピュータプログラムは、その一部をコンピュータに装着される拡張ボード等のファームウェアで構成してもよいし、拡張ボード等が備えるＣＰＵで実行するようにしてもよい。
【図面の簡単な説明】
【００５９】
【図１】本実施の形態に係る撮像装置の構成を模式的に示すブロック図である。
【図２】（ａ）は、表示画面の通常の表示例を例示する概念図であり、（ｂ）は、表示画面におけるゼブラパターン表示を例示する概念図であり、（ｃ）は、表示画面におけるピーキング表示を例示する概念図であり、（ｄ）は、表示画面におけるゼブラパターン及びピーキング表示を例示する概念図である。
【図３】撮像装置の動作を例示するフローチャートである。
【図４】図３に続いて撮像装置の動作を例示するフローチャートである。
【図５】撮像装置の表示状態を表で例示した概念図である。
【符号の説明】
【００６０】
１  撮像装置
２０１  撮像光学系
２０２  撮像素子
２０３  撮像素子駆動部
２０４  ＣＤＳ／ＡＧＣ
２０５  Ａ／Ｄ
２０６  カメラ信号処理部
２０７  撮像光学系駆動部
２０８  ストロボ
２０９  システム制御部
２１０  メモリ制御部
２１１  汎用記憶部
２１２  記録媒体接続インターフェース
２１３  記録媒体
２１４  入力操作部
２１４ａ  動作モード設定ボタン
２１４ｂ  フォーカスリング
２１４ｃ  アイリスダイヤル
２１５  計時部
２１６  表示部
２１７  ライン出力部
２１８  デジタルデータ出力部
２２１  ジャイロセンサ
【図１】
2009272837.tif 000003
【図２】
2009272837.tif 000004
【図３】
2009272837.tif 000005
【図４】
2009272837.tif 000006
【図５】
2009272837.tif 000007